(57)【要約】【課題】ケーブルに風力など外力が作用しても、そのケーブルが保持部内から外に振り出されることなく保持できて搬器の昇降を妨げず、ケーブルに障害が発生することなく保持できるようにする。【解決手段】昇降装置の搬器に繋がれたケーブル１０の振れを抑止するケーブル振れ止め装置２０であって、搬器昇降用の鉄塔に支持されてその鉄塔側方に配設されてケーブル受入れ空間部を備える保持体２２の開放端部に、その保持体２２の開放口２２ｄを常時は閉じる遮断ゲート２５が回動可能に付設され、搬器の昇降時に、その搬器から突出して設けられたケーブル保持アームが前記遮断ゲート２５と交差してその遮断ゲート２５を搬器の移動方向に押し開いて通過できるように構成されている。【選択図】図４
2007297147.tif 000002
【特許請求の範囲】
【請求項１】
昇降装置の搬器に繋がれたケーブルの振れを抑止するケーブルの振れ止め装置であって、
搬器昇降用の鉄塔に支持されてその鉄塔側方に配設されてケーブル受入れ空間部を備える保持体の開放端部に、その保持体の開放部を常時は閉じる遮断ゲートが回動可能に付設され、搬器の昇降時に、その搬器から突出して設けられたケーブル保持アームが前記遮断ゲートと交差してその遮断ゲートを搬器の移動方向に押し開いて通過できるように構成されていることを特徴とする昇降装置におけるケーブルの振れ止め装置。
【請求項２】
前記遮断ゲートは、Ｕ字形に形成される保持体の開放側一端に形成される取付ボスに軸支されて、所定回転角回転可能に支持されるハブから複数のゲートバーを放射状に備えてなる構成である請求項１に記載の昇降装置におけるケーブルの振れ止め装置。
【請求項３】
前記遮断ゲートの取付ボスには、その遮断ゲートの所定回転角を規制するラッチ機構が組込まれている請求項２に記載の昇降装置におけるケーブルの振れ止め装置。
【請求項４】
前記保持体には、その開放端部における一方の前記遮断ゲートが付設側と対向する他方の端部に、前記遮断ゲートのゲートバー端部が通過可能な間隔をもって、そのゲートバーが進入すると挟持する弾性摩擦部片を一対配置するゲートバー保持手段が設けられている請求項２に記載の昇降装置におけるケーブルの振れ止め装置。
【発明の詳細な説明】
【技術分野】
【０００１】
本発明は、昇降路に沿って昇降する搬器に接続される電力ケーブルや制御信号ケーブルあるいはそれらの複合ケーブルを、上下方向に円滑に案内移動させるとともに、風の影響を受けて振れるのを抑止することができる昇降装置におけるケーブルの振れ止め装置に関するものである。
【背景技術】
【０００２】
従来、主に建設工事現場で使用される工事用エレベータにあっては、ロープ式に代わってラック・ピニオン駆動方式が多く使用されている。この工事用エレベータは、多くが屋外で建造物に支持されて立設される鉄塔に沿って搬器が昇降するように設置されている。前記鉄塔にはガイドレールとラックが沿設されており、搬器がその鉄塔のガイドレールに案内されて、搭載する駆動機により駆動されるピニオンを前記ラックとの噛み合い駆動によって昇降するように構成されている。
【０００３】
このような工事用エレベータでは、その搬器を昇降駆動する駆動機とその駆動制御のために、外部から動力が供給され、また、駆動のための制御信号を伝達するために、搬器と地上部もしくは建造物の要所に設けられた配電部や制御機器とを接続するのに、電力ケーブルや信号ケーブルあるいはそれらを合体した複合ケーブル（以下、単に「ケーブル」という）が搬器に繋がれている。通常、このケーブルは、鉄塔に中間部を支持させてその支持部から搬器までの間をその搬器に追従して昇降するようにされている。そして、搬器の揚程が高く（大きく）なると、搬器に繋がれているケーブルがフリーの状態で長くなって大きく振れることになるので、繋がれている搬器に振動などの伝播による影響を受けることや鉄塔にケーブルが接触して損傷することなどを回避するとともに円滑な運転が行えるように、鉄塔に沿って搬器とともに移動する大きなケーブルホイールによってケーブルのターン部分を保持し、ケーブルに適度な張力が作用するようにされている。
【０００４】
また、前記ケーブルのフリー部分は、鉄塔の側方位置で、例えば図７（ａ）（ｂ）に示されるように、Ｕ字形に形成された受け金具５２と、その横方向開口部５２ａを搬器（図示せず）の昇降時に、搬器へのケーブル受入れのため搬器から突出して設けたケーブル保持アーム５８（矢印で示す。図２における符号１５参照）の通過が可能なように開閉できる遮断部片５３，５３'とで形成されるケーブル保持具５１を、鉄塔６０の側面に固着した支持アーム５４の先端に取り付けて構成されるケーブル保持装置５０が、鉄塔６０の側方位置に揚程に応じて上下方向に適宜間隔で複数配設されて、ケーブル１０が振れるのを抑止するようにされている。前記ケーブル保持具５１には、ゴム板片にてなる遮断部片５３，５３'が、前記受け金具５２の端部に設けた取付座５２ｂ、５２ｂにそれぞれ基端を取付けられて、それら遮断部片５３，５３'先端部同士を上下に閉じ合うようにされており、前記受け金具５２と遮断部片５３，５３'とで囲ってなるケーブル保持具５１の内側空間部５１Ａにケーブル１０を受入れるようにされている。そして、このケーブル保持装置５０は、通常時、前記ケーブル保持具５１の内側空間部５１Ａをケーブル１０が上下方向に通って、大きく振れるのを抑止している。搬器の昇降時には、その搬器に取付いているケーブル保持アーム５８が前記ケーブル保持具５１の遮断部片５３，５３'による閉じ合わせ部を上下方向に押し開いて通過し、ケーブル１０の保持状態を保って搬器が自在に昇降できるように構成されている。
【０００５】
このほかに、ケーブルをケージの昇降に応じて張力を付勢しながら巻取りリールから繰り出すようにして、昇降レールに沿ってケーブルを受け止めて案内するガイド装置をケージの昇降区間に配置するものが特許文献１で知られている。また、建物内に設置されるエレベータにおけるテールコードの制振装置としては、昇降かごの底部に繋がるテールコードの彎曲部を、下端をピットに、上端を昇降路の中間位置に、それぞれ取付けた二条のワイヤロープに支持案内される金具に取付けて配されたプーリに巻装し、そのテールコードの接続箱近傍に設けられるプーリに巻装したワイヤロープの一端を前記金具で支持されるプーリに繋ぎ、そのワイヤロープの他端にウエイトを吊下げてバランスさせるようにしたものが特許文献２によって開示されている。
【０００６】
【特許文献１】特開平１１−１７１４３２号公報
【特許文献２】特開平１１-１１８２４号公報
【発明の開示】
【発明が解決しようとする課題】
【０００７】
しかしながら、屋外に設置される主に工事用エレベータの場合、その揚程が高くなると、鉄塔でのケーブル中間部を固定的に支持する箇所から搬器までのケーブルの長さ寸法が長くなるので、風の影響を受けやすい。そのために、前述のようなケーブル保持装置５０では、強風時、搬器から垂下するケーブル１０に大きな風力が作用すると、振れが大きくなって、ゴム板片にてなる遮断部片５３，５３'ではケーブル保持具５１の開口部５２ａ（開放側）の閉じ合わせが保てなくなる。そのために、ケーブル１０がその遮断部片５３，５３'の閉じ合わせ部分を押し開いてケーブル保持具５１の内側空間部５１Ａから外側に飛び出し、フリーの状態になってさらに大きく振れる現象が生じる。特に、最近では高揚程で使用されるエレベータの増加に伴い、ケーブルが、そのような風による煽りを受けると、鉄塔などと接触して外皮を破損するなどの不具合が発生するという問題点がある。
【０００８】
また、前記特許文献１によって知られる技術では、ケーブルを地上部に設置したケーブルリールによって繰り出し・巻き取る方式であるから、最近の工事用エレベータのように高揚程の場合には到底ケーブルをリールに巻付けて処理することは構造的にも非常に大型のものとなり、ケーブルが振れないように張力を働かせることも困難で、採用できるものではない。また、前記特許文献２によって知られる方式は、建物内部の昇降路に設けることが可能であっても、屋外設置のエレベータについては中間部から搬器が上昇する区間に設けることができない構成であるから、実施困難である。
【０００９】
本発明は、このような問題点を解決するためになされたもので、ケーブルに風力など外力が作用しても、そのケーブルが保持部内から外に振り出されることなく保持できて搬器の昇降を妨げず、ケーブルに障害が発生することなく保持できる簡単な構成の昇降装置におけるケーブルの振れ止め装置を提供することを目的とするものである。
【課題を解決するための手段】
【００１０】
前記目的を達成するために、本発明による昇降装置におけるケーブルの振れ止め装置は、
昇降装置の搬器に繋がれたケーブルの振れを抑止するケーブルの振れ止め装置であって、
搬器昇降用の鉄塔に支持されてその鉄塔側方に配設されてケーブル受入れ空間部を備える保持体の開放端部に、その保持体の開放部を常時は閉じる遮断ゲートが回動可能に付設され、搬器の昇降時に、その搬器から突出して設けられたケーブル保持アームが前記遮断ゲートと交差してその遮断ゲートを搬器の移動方向に押し開いて通過できるように構成されていることを特徴とするものである。
【００１１】
前記発明において、前記遮断ゲートは、Ｕ字形に形成される保持体の開放側一端に形成される取付ボスに軸支されて、所定回転角回転可能に支持されるハブから複数のゲートバーを放射状に備えてなる構成であるのがよい（第２発明）。また、前記遮断ゲートの取付ボスには、その遮断ゲートの所定回転角を規制するラッチ機構が組込まれているのがよい（第３発明）。
【００１２】
前記第２発明において、前記保持体には、その開放端部における一方の前記遮断ゲートが付設側と対向する他方の端部に、前記遮断ゲートのゲートバー端部が通過可能な間隔をもって、そのゲートバーが進入すると挟持する弾性摩擦部片を一対配置するゲートバー保持手段が設けられているのがよい（第４発明）。
【発明の効果】
【００１３】
本発明においては、搬器の昇降に追従して鉄塔側部に沿って上下方向に移動するケーブルが、鉄塔側から突出して所要の間隔で上下方向に配設される保持体内に受入れられて横方向の移動を規制されるのを、その保持体では開放側に搬器の通過時のみ上下方向に移動できる遮断ゲートを備えているので、その遮断ゲートのゲートバーによって常時開放側を遮断され、強風が吹いても剛性を有するゲートバーによって塞がれているから外部に振出されるのが防止される。そして、搬器の昇降で保持体対応位置をその搬器が通過するときには、搬器から突出して設けられているケーブル保持アームによって前記遮断ゲートのゲートバーが上下方向に押し退けられて通過できる。そして、前記ケーブル保持アームの通過後には、回動する遮断ゲートの他のゲートバーが保持体の開放部に移動して遮断することになるので、保持体の内側に位置するケーブルが外部に出て風により煽られるのを確実に防止できる。本発明によれば、ごく簡単な構成でケーブルの保持体における開放側を、搬器とともに移動するケーブル保持アームの通過のみを許容して速やかに遮断することができ、ケーブル保持アームの通過を妨げることなく、剛性を備えた遮断ゲートによって合理的にケーブルの横方向の移動を抑止して保持体の空間部内に保持することができる。したがって、従来、しばしば発生していた風によるケーブルの大振れを抑止して安全運転できるという効果を奏するのである。
【００１４】
また、本発明においては、保持体の開放部を遮断する遮断ゲートとして保持体の開放端部に、放射状にゲートバーを配設した遮断ゲートが回転可能に付設され、搬器とともに昇降移動するケーブル保持アームと交差させて前記ゲートバーを押し退けることにより、そのケーブル保持アームが保持体内を移動通過でき、押し退けられるゲートバーに追随して隣接位置の他のゲートバーが開放端部を閉じて、ケーブルが振り出されるのを抑止する。したがって、搬器のケーブル保持アームが通過する時のみ前記開放端部を開き、それ以外は常に遮断状態を維持できるので、屋外設置で強風に曝される状態であってもケーブルが煽られて大振れすることなく保持できるという効果を奏する。
【発明を実施するための最良の形態】
【００１５】
次に、本発明による昇降装置におけるケーブルの振れ止め装置の具体的な実施の形態について、図面を参照しつつ説明する。
【００１６】
図１は本発明に係るケーブルの振れ止め装置を備える工事用エレベータの一実施形態を表わす立面図が、図２には搬器とケーブルの保持装置との関係を表わす平面図が、図３には図２のＡ−Ａ視図が、図４には遮断ゲートの一部省略平面図（ａ）と正面図（ｂ）および図（ａ）のＣ−Ｃ視図（ｃ）が、それぞれ示されている。
【００１７】
図１に示される工事用エレベータ１は、図示されない建物の躯体に複数のサポート金具２によって支持されて立設される鉄塔３と、この鉄塔３の側面に沿設されたガイドレール４に案内装架されて昇降自在に設けられる搬器６とで構成されている。前記搬器６には、昇降駆動用のモータ７が搭載され、そのモータ７によって駆動される出力軸上の歯車８を鉄塔３の前側面に付設されたラック５と噛み合わせて昇降するようにされている。また、搬器６を鉄塔３側の二本のガイドレール４，４（この実施形態の鉄塔３では、縦部材がガイドレールを兼ねている）に案内支持させるために、搬器フレーム６ａの両側で上下適所に付設されるブラケット６ｂに支持されて設けたガイドローラ９，９を、前記ガイドレール４，４にそれぞれ当接させて昇降自在にされている。前記鉄塔３の一側方には、前記昇降自在な搬器６に対する動力供給並びに制御信号を送るケーブルが鉄塔３に平行して垂設され、所要の区間でそのケーブルが振れるのを抑止保持するためのケーブル振れ止め装置２０が、鉄塔３の側部で上下方向に所要の間隔にて配設されている。
【００１８】
前記搬器６には、外部から昇降駆動用のモータ７への動力ケーブル１０（キャプタイヤケーブル）および制御用の信号ケーブル１０ａ（以下、単に「ケーブル１０」という）が接続されている。このケーブル１０は、搬器６の昇降に追従できるようにするために、下層位置に設けられた図示されない電源受入れボックスから、鉄塔３の中間位置に取付けられたケーブル支持金具１３にて中間位置を保持されて垂下させ、このケーブル１０をターンさせて搬器６の制御盤(図示せず)に接続され、動力ケーブルのみ昇降駆動用のモータ７に接続されている。前記ケーブル１０の搬器６側への取込み部は、図２および図３で示されるように、搬器６の上部に配される駆動フレーム６Ａの上部に基端部を取り付けられて、鉄塔３に沿って配されるケーブル昇降スペース４０に向かって突出するケーブル保持アーム１５を介して搬器６内に引き込まれるようになっている。したがって、ケーブル１０は、前記ケーブル保持アーム１５の先端部からターン部までほぼ垂直に垂れ下げられた状態に保たれている。
【００１９】
前記ケーブル１０のターン部には、ケーブル１０を所要半径で保持して案内するケーブルホイール１７が搬器６の昇降に追従して鉄塔３に沿い昇降できるように設けられている。そのケーブルホイール１７は、前記搬器６の昇降に応じて追従する昇降用のフレームに支持されて、前記鉄塔３のガイドレール４に沿って、あるいは鉄塔３に付設される別途ガイドレール１８に沿って昇降自在に設けられている。
【００２０】
前記ケーブル昇降スペース４０には、鉄塔３の後側面に基幹部を取付支持されてケーブル振れ止め装置２０が、上下方向に所要の間隔で複数配設されている。このケーブル振れ止め装置２０は、図２〜図４に示されるように、鉄塔３に取付けられるサポートアーム２１と、このサポートアーム２１の先端に直交する向きで一体に取付くＵ字形に形成された保持体２２と、この保持体２２の開放側先端に付設される遮断ゲート２５とで構成されている。
【００２１】
前記ケーブル振れ止め装置２０における保持体２２は、例えばパイプ材をＵ字形に形成されて、前記サポートアーム２１の先端に中心線が直交する状態で開放側を搬器６の昇降側に対向するようにして一体に取付けられ、水平に保たれるように形成されている。そして、その開放側では一方の部材端部に取付ボス２２ａが付設され、この取付ボス２２ａに支持されて回動可能な遮断ゲート２５が保持体２２の開放口２２ｄを閉じるように、その保持体２２の中心線ａに対して交差（直交）する向きで付設されている。前記サポートアーム２１は、所要長さの部材で、その基幹部２１ａで鉄塔３の背後側面に固着して先端部に付設の前記保持体２２が水平を保ってケーブル昇降スペース４０に配されるように形成されている。
【００２２】
前記遮断ゲート２５は、図４（ａ）〜（ｃ）で示されるように、保持体形成部材２２ｂの一方端に取付く前記取付ボス２２ａに回転軸２７を支持されて回動自在に設けられるコア２６ａに複数本のゲートバー２６ｂにてなる回転ゲートバー２６と、保持体形成部材２２ｂの他方端に装着されて前記ゲートバー２６ｂを挟持して保持体開放口２２ｄを遮断保持するゲートバー保持機構２８とで構成されている。そして、前記回転ゲートバー２６は、回転軸２７が取付くコア２６ａから前記保持体２２の開放口２２ｄを閉じる長さ寸法のゲートバー２６ｂを、少なくとも４本を等分して放射状に取付けられて形成されている。また、この回転ゲートバー２６のコア２６ａには必要に応じて前記取付ボス２２ａと対向する面に制動部材２６ｄを介在させて回転速度を規制するようにするのが好ましい。なお、前記回転ゲートバー２６は、コア２６ａの周囲に複数のゲートバー２６ｂを設けているが、その内実質的に２本が遮断するゲートの役目を果たし、他の反対側に位置するものは全体のバランスを保たせる役目を果たしている。
【００２３】
前記回転ゲートバー２６に対向して配置されるゲートバー保持機構２８は、前記ゲートバー２６ｂを回動通過可能な間隔で対向する二枚の制動板２９，２９を備え、これら制動板２９を取付金具２８ａによって一定間隔を保たせて前記保持体形成部材２２ｂの端部２２ｂ'に取り外し可能に装着されている。前記制動板２９は、金属板にてなる取付板２９ａの表面に軟質のゴム質材にてなる制動片２９ｂを貼着され、一方の取付板２９ａの背後で出入り調整可能に取付金具の座板２８ｂに取付けられている。ただし、これに限定されるものではなく、必要に応じて取付板２９ａとともに前記制動片２９ｂを固定的に配するようにしてもよい。なお、前記ゲートバー保持機構２８は、その両制動板２９，２９間の中心がゲートバー２６ｂの回動軌跡中心面と合致するように設けられる。
【００２４】
このように構成される本実施形態の工事用エレベータ１におけるケーブル振れ止め装置２０は、前述のように搬器６へのケーブル１０を、搬器６の揚程の約半分の高さ位置で鉄塔３にケーブル支持金具１３によって中間部を支持させて、一端を図示されない電源受入れボックスに繋ぎ、他端部を搬器６上部に設けたケーブル保持アーム１５を介して制御盤１６と接続して運転可能な状態にされており、垂下するケーブル１０のターン部をケーブルホイール１７にて案内させてケーブル昇降スペース４０で昇降するようにされ、この状態でケーブル１０の中間部分をケーブル振れ止め装置２０の保持体２２の内側空間部に囲って横揺れしない状態に保たせる。
【００２５】
搬器６が鉄塔３に沿い昇降する際に、搬器６の移動によって、この搬器６からケーブル昇降スペース４０に向けて突出されているケーブル保持アーム１５がケーブル振れ止め装置２０の位置に到達すると、そのケーブル保持アーム１５がケーブル振れ止め装置２０の保持体２２によるケーブル１０の垂下保持線ａ上を通過するように関係付けられているので、前記保持体２２の開放側に配されて開放口２２ｄを閉じるように付設されている遮断ゲート２５のゲートバー２６ｂと接触することになる。すると、保持体２２の開放口２２ｄを遮断している遮断ゲート２５のゲートバー２６ｂは、先端部をゲートバー保持機構２８の制動板２９，２９によって挟持され静止しているので、例えば搬器６が上昇する場合、搬器６側のケーブル保持アーム１５によって持ち上げられ、ゲートバー２６ｂが回転軸を基点にして上方に回動し、保持体２２の開放口２２ｄの通過を許容する。ケーブル保持アーム１５によって遮断していたゲートバー２６ｂが上方へ移動変位すると、複数のゲートバー２６ｂを放射状に備える回転ゲートバー２６の回動により、隣接する位置の他のゲートバー２６ｂ'が持ち上げられて保持体２２の開放口２２ｄにおける遮断位置に移動して遮断する。この際、次のゲートバー２６ｂ'が遮断位置に移動すると、対向位置にあるゲートバー保持機構２８において相対向して配される一対の制動板２９，２９により、その間に進入したゲートバー２６ｂ'の先端部を挟持してケーブル保持アーム１５の上昇により回転運動した回転ゲートバー２６の動作を静止させる。したがって、回転ゲートバー２６は１円周ピッチ回動変位すると停止し、保持体２２の内側にあるケーブル１０が外部に移動するのを抑制する。このようにして搬器６が上昇する区間に配置されているケーブル振れ止め装置２０では、順次遮断ゲート２５を潜ってケーブル保持アーム１５が通過し、このケーブル保持アーム１５を介して連結されているケーブル１０の中間部が保持体２２の内側に収められる。
【００２６】
また、搬器６が下降する場合には、各ケーブル振れ止め装置２０の位置において、遮断ゲート２５が前記上昇時の作動と逆に、ケーブル保持アーム１５が回転ゲートバー２６の遮断位置にあるゲートバー２６ｂ'を押し下げるので、それに伴い保持体２２の開放口２２ｄで開放部分を通過し、回転ゲートバー２６の上側へ退避していた隣接位置の元のゲートバー２６が下向きに回動変位して再びゲートバー保持機構２８の制動板２９，２９間において挟持され、開放口２２ｄを遮断する。
【００２７】
このようにして本実施形態では、ケーブル昇降スペースに配設される複数のケーブル振れ止め装置２０により、搬器６とともに移動するケーブル保持アーム１５の移動を許容してその移動の瞬間のみ保持体２２の開放部分を開き、通過後は直ちに遮断する遮断ゲート２５として剛性の高い部材を設けたことにより、ケーブル１０の垂下する部分がケーブル振れ止め装置２０によって常時特定空間にて確実に囲われて保持されるので、強風を受けてケーブル１０が煽られる状態となっても、従来のように保持部から振出されて大きく揺動することが阻止されるのである。したがって、工事用エレベータ１において搬器６の揚程が高い設置状態においても風によってケーブルが大きく振られることによって発生する障害を防止することが可能になる。しかも、構造的に簡単で確実に作動する構成であるから長期使用に耐えて安価に提供することができる。
【００２８】
図５には遮断ゲートの他の実施形態を表わす正面図が、図６には要部の拡大断面図（ａ）および図（ａ）におけるＤ−Ｄ視図（ｂ）が、それぞれ示されている。この実施形態の遮断ゲート３０は、前記保持体２２の開放端における一方の部材２２ｂ先端部に取付けられて遮断機能を果たす構成のものである。
【００２９】
この実施形態の遮断ゲート３０は、前記実施形態と同様に、保持体形成部材２２ｂの一方の端部に同軸で固着された取付ボス２２ａに軸支されて回転ゲートバー３１が設けられ、この回転ゲートバー３１によって保持体の開放口２２ｄを遮断するように構成されている。前記取付ボス２２ａは、内部を空洞にして、その軸心位置に回転軸３２が回転可能に設けられ、この回転軸３２に取付ボス２２ａ内で周面に４等分された位置で凹部３３ａを形成された板カム３３が固着され、取付ボス２２ａの外周から内部中心に向かって中空のブラケット３４内に組込まれて進退自在に押しバネ３６を介在させたカムローラ３５が、前記板カム３３の凹部３３ａに係合するように支持片３７により支持されて配設してある。このような取付ボス２２ａの一方端から突出する回転軸３２には回転ゲートバー３１のコアボス３１ａが固着され、このコアボスの周面に４本のゲートバー３１ｂが等分して基端を固着されて放射状に配されている。なお、この回転ゲートバー３１の各ゲートバー３１ｂは、前記保持体２２の開放口２２ｄを遮断するのに適した長さ寸法で、前記板カム３３の各凹部３３ａ位置に対応して配され形成されている。
【００３０】
このように構成される遮断ゲート３０では、前記実施形態と同様に配設されるケーブル振れ止め装置２０に取付けられて使用される。このケーブル振れ止め装置２０にあっては、搬器６の昇降移動によって、搬器６が上昇すると搬器６に付設のケーブル保持アーム１５により遮断ゲート３０のゲートバー３１ｂが押し上げられると、回転軸３２に取付いている板カム３３の凹部３３ａに係合するカムローラ３５がコイルバネ３６による押圧力に抗して押し上げられて回転軸３２が回動し、板カム３３の凹部３３ａとカムローラ３５とによる係止が解かれて回転ゲートバー３１が回転変位する。こうして保持体２２内をケーブル保持アーム１５が通過すると、回転ゲートバー３１の矢印Ｐ方向への変位により隣接する次のゲートバー３１ｂ'が保持体２２の開放位置まで回動してその開放口２２ｄを遮断する。この遮断位置に次のゲートバー３１ｂ'が位置すると同時に板カム３３の凹部３３ａにカムローラ３５が係合して，以後のフリーな回動が阻止される。この保持体２２内に受入れられているケーブル１０は、保持体２２の開放口２２ｄが閉じられるので、その保持体２２内に保たれて風による外力で保持体２２にて囲われた位置から振出されるのを防止される。なお、搬器６が下降する場合には、前記搬器６の上昇時と逆に作動して同様の作用効果を奏するのである。
【００３１】
この実施形態の遮断ゲート３０によれば、回転ゲートバー３１における二本のゲートバー３１ｂ、３１ｂ'が上向き回動またはその反転回動によって、回転軸３２に付設される板カム３３とカムローラ３５とによる係止作用により、確実に剛性の高いゲートバー３１ｂにより保持体２２の開口部２２ｄを遮断するので、ケーブル１０の中間部を安定状態に保持体２２の空間部に維持させることができるのである。
【００３２】
以上の説明においては、遮断ゲート２５において回転構造にされているが、遮断ゲートの軸支部にねじりばねを介在させて、ゲートバー２６ｂがケーブル保持アーム１５によってそのケーブル保持アーム１５の移動方向に押しやられた後に、ねじりばねの蓄勢力で復帰するようにしてもよい。また、回転ゲートバー２６のバランスをとるために、必要に応じてバランスウエイトを取付けるようにしてもよい。
【００３３】
なお、本発明のケーブル振れ止め装置は、前述の実施形態に限定されるものではなく、本発明の要旨を逸脱しない範囲内において種々変更を加え得ることができる。また、設置されるエレベータの形式についても前記実施形態にこだわらない。
【図面の簡単な説明】
【００３４】
【図１】本発明に係るケーブル振れ止め装置を備える工事用エレベータの一実施形態表わす立面図
【図２】搬器とケーブル振れ止め装置との関係を表わす平面図
【図３】図２のＡ−Ａ視図
【図４】遮断ゲートの一部省略平面図（ａ）と正面図（ｂ）および図（ａ）のＣ−Ｃ視図（ｃ）
【図５】遮断ゲートの他の実施形態を表わす正面図
【図６】要部の拡大断面図（ａ）および図（ａ）におけるＤ−Ｄ視図（ｂ）
【図７】従来のケーブル保持装置の平面図（ａ）と図（ａ）のＥ−Ｅ視図（ｂ）
【符号の説明】
【００３５】
１          工事用エレベータ
３          鉄塔
４          ガイドレール
６          搬器
７          昇降駆動用のモータ
１０        ケーブル
１５        ケーブル保持アーム
２０        ケーブル振れ止め装置
２１        サポートアーム
２２        保持体
２２ａ      取付ボス
２２ｂ      保持体形成部材
２５，３０    遮断ゲート
２６        回転ゲートバー
２６ｂ，３１ｂ    ゲートバー
２７，３２    回転軸
２８        ゲートバー保持機構
２９        制動板
３３        板カム
３５        カムローラ
【図１】
2007297147.tif 000003
【図２】
2007297147.tif 000004
【図３】
2007297147.tif 000005
【図４】
2007297147.tif 000006
【図５】
2007297147.tif 000007
【図６】
2007297147.tif 000008
【図７】
2007297147.tif 000009